(57)【要約】【課題】流入口の構造的な制限を克服することで、サイクロンに流入する流体の吸入面積を広くしながら、圧力損失を減少させ、流体に加えられる遠心力を増加させる手段を備えたサイクロンと、このサイクロンを備えることで、空気浄化性能の向上及び騷音の減少などの効果を得られるサイクロン空気清浄機を提供すること。【解決手段】流体が流入する円筒部２１０と、該円筒部２１０から延長形成されたガイド部２２０と、前記円筒部２１０の中心部に備わり、反転上昇する流体の流出を案内する流出管２３０と、前記円筒部２１０と前記流出管２３０との間に一つ以上の旋回流路２５０を形成する旋回誘導部材２４０と、を含んでサイクロンを構成する。【選択図】図３
2007275867.tif 000002
【特許請求の範囲】
【請求項１】
流体が流入する円筒部と、
該円筒部から延長形成されたガイド部と、
前記円筒部の中心部に備わり、反転上昇する流体の流出を案内する流出管と、
前記円筒部と前記流出管との間に一つ以上の旋回流路を形成する旋回誘導部材と、を含むことを特徴とするサイクロン。
【請求項２】
前記円筒部の上端部には、外部から流体を流入させるための開口部が形成されることを特徴とする、請求項１に記載のサイクロン。
【請求項３】
前記旋回誘導部材は、少なくとも一つの螺旋状の案内羽根を含むことを特徴とする、請求項１に記載のサイクロン。
【請求項４】
前記開口部には、前記案内羽根と前記流出管によって区画された少なくとも一つの流体の流入口が形成されることを特徴とする、請求項３に記載のサイクロン。
【請求項５】
前記少なくとも一つの案内羽根の個数は、２個以上であることを特徴とする、請求項３に記載のサイクロン。
【請求項６】
前記複数個の案内羽根は、その開始点の高さと終点の高さがそれぞれ同一であることを特徴とする、請求項５に記載のサイクロン。
【請求項７】
前記円筒部は、流体を流入させるための開口部を含み、前記複数個の案内羽根は、前記開口部を２以上に等分した位置で同一方向に回転して形成されることを特徴とする、請求項５に記載のサイクロン。
【請求項８】
前記少なくとも一つの案内羽根の回転角度は、９０゜以上であることを特徴とする、請求項３に記載のサイクロン。
【請求項９】
前記旋回誘導部材は、前記流出管の外周面に形成され、前記円筒部の内部に着脱自在に設けられることを特徴とする、請求項１に記載のサイクロン。
【請求項１０】
前記旋回誘導部材は前記円筒部の内面に形成され、
前記流出管の外周面には前記旋回誘導部材に対応する結合溝が形成されることで、
前記流出管が前記円筒部の中心部に着脱自在に設けられることを特徴とする、請求項１に記載のサイクロン。
【請求項１１】
本体と、
該本体の上側に設置されるファンと、
前記本体内に設置されるサイクロンと、を含み、
前記サイクロンは、
上端に開口部が形成された円筒部と、
該円筒部から延長形成されたガイド部と、
前記円筒部の中心部に備わり、反転上昇する空気の流出を案内する流出管と、
前記円筒部と流出管との間に旋回流路を形成する旋回誘導部材と、を含み、
前記ファンによって流体が外部から前記開口部に吸入され、吸入された流体内の異質物が遠心分離されることを特徴とするサイクロン空気清浄機。
【請求項１２】
前記旋回誘導部材は、少なくとも一つの螺旋状の案内羽根を含むことを特徴とする、請求項１１に記載のサイクロン空気清浄機。
【請求項１３】
前記開口部には、前記案内羽根と前記流出管によって区画された少なくとも一つの流体の流入口が形成されることを特徴とする、請求項１２に記載のサイクロン空気清浄機。
【請求項１４】
前記案内羽根の個数は、２個以上であることを特徴とする、請求項１２に記載のサイクロン空気清浄機。
【請求項１５】
前記複数個の案内羽根は、開始点の高さと終点の高さがそれぞれ同一であることを特徴とする、請求項１４に記載のサイクロン空気清浄機。
【請求項１６】
前記複数個の案内羽根は、前記開口部を２以上に等分した位置で同一方向に回転して形成されることを特徴とする、請求項１４に記載のサイクロン空気清浄機。
【請求項１７】
前記案内羽根の回転角度は、９０゜以上であることを特徴とする、請求項１２に記載のサイクロン空気清浄機。
【請求項１８】
前記流出管から空気を流出させるための流出口は、前記開口部より上部に配置されることを特徴とする、請求項１１に記載のサイクロン空気清浄機。
【請求項１９】
前記開口部と連通される連通ホールを有し、前記円筒部の上端部に設置される第１区画板と、
前記流出管と密着される密着ホールを有し、前記流出管の上端部に設置される第２区画板と、
前記第１区画板と前記第２区画板との間に設置される吸入グリルと、
前記第１区画板、前記第２区画板及び前記吸入グリルによって形成される吸入空間と、を含むことを特徴とする、請求項１８に記載のサイクロン空気清浄機。
【発明の詳細な説明】
【技術分野】
【０００１】
本発明は、吸入流体を遠心分離するサイクロン及びサイクロン空気清浄機に関するもので、一層詳しくは、吸入流体の圧力損失を最小限に軽減させるとともに、吸入流体の遠心力を一層増加させるサイクロン、サイクロンを含むサイクロン空気清浄機及びその空気清浄方法に関するものである。
【背景技術】
【０００２】
一般に、サイクロン(Cyclone)とは、流体の旋回流(vortex flow)によって発生する遠心力を用いて、流体中に懸濁した固体粒子や液滴などを比重差によって分離する遠心分離装置をいい、サイクロン空気清浄機は、サイクロンが装着されることで、異質物を含む空気をサイクロンによって遠心分離して空気を浄化させる装置をいう。
【０００３】
従来のサイクロン及びサイクロン空気清浄機は、特許文献１〜３に開示されており、図１及び図２には、前記各特許文献に記載されたサイクロン及びサイクロン空気清浄機と類似した部分を示した。
【０００４】
図１は、従来のサイクロン空気清浄機に示す図で、図２は、従来のサイクロンを示す図である。
【０００５】
図１に示すように、従来のサイクロン空気清浄機は、上部が開口した円筒状の本体１０と、該本体１０の内部に装着されるサイクロン２０と、該サイクロン２０の上部に設置され、空気を吸入及び吐出するファン３０と、該ファン３０を駆動するファンモータ３１と、サイクロン２０から吐出される空気をフィルタリングするためのフィルタ３２と、から構成される。
【０００６】
前記サイクロン２０を図２に基づいて一層詳しく説明すると、前記サイクロン２０は、流体が流入して旋回流を形成する円筒部２１と、該円筒部２１の下部に備わり、旋回する流体の遠心力を一層増幅させるために、下部方向に直径が徐々に小さくなる円錐状の円錐部２３と、前記円筒部２１の中心部に設けられ、前記旋回する流体から分離されて上昇旋回流を形成する空気を排出させるための流出管２５と、から構成される。
【０００７】
前記円筒部２１の一側面には、異質物が含まれた流体を前記円筒部２１の内面に接線方向に流入させるための流入口２２が形成される。前記円錐部２３の下端には、旋回する流体のうち比重の大きい粒子を排出させるための排出孔２４が形成される。前記流出管２５の上端部には、遠心分離されて上昇する空気を外部に流出させるための流出口２６が形成される。前記排出孔２４を通して排出される粒子は、集塵容器１２に集められる。
【０００８】
したがって、図２に示した従来のサイクロンにおいて、流体は、円筒部２１の一側面から流入した後、前記円筒部２１の内面の接線方向に回転しながら円錐部２３に移動する。その後、流体が一層大きい遠心力で回転することで、比重の大きい粒子は排出され、空気は、円錐部２３の中心部で上昇旋回流を形成して前記流出管２５に流入し、流出口２６を通して吐出される。その結果、異物質が空気から分離される。
【０００９】
上記のようなサイクロンが設置された図１に示したサイクロン空気清浄機においては、ファン３０の回転によって流入口２２の周辺に低圧が形成されることで、周辺から異質物を含む空気が流入口２２に吸入される。その後、サイクロン２０で遠心分離されて吐出される空気は、吐出案内容器１１に吐出され、フィルタ３２によってフィルタリングされてから外部に排出される。その結果、空気が浄化される。
【特許文献１】大韓民国公開特許第１０‐２００５‐０１１０２５５号公報
【特許文献２】特開２００５‐８１１３６号公報
【特許文献３】特開２００３‐１１４４号公報
【発明の開示】
【発明が解決しようとする課題】
【００１０】
しかしながら、上記のような従来のサイクロン空気清浄機またはサイクロンにおいては、流体を吸入する流入口が円筒部の側面にダクト状で形成されるので、流体の流入過程で摩擦抵抗によって圧力損失が発生する。また、従来のサイクロン空気清浄機の構造上、流体がサイクロンの一側面のみに流入するので、多方向に流体が流入する場合、サイクロンが実質的に流体に加えられる遠心力より遥かに小さい遠心力を流体に加えるしかないという問題点があった。
【００１１】
また、流体がサイクロンの内部に流入した後も、流体の流動方向が一定でなく、流体に遠心力を適宜加えられない場合もあるので、その圧力損失が一層大きくなって遠心分離性能を充分に発揮できないという問題点があった。
【００１２】
また、上記のような従来のサイクロン空気清浄機は、前記サイクロンから発生する吸入流体の圧力損失によって、流体がサイクロンの内部に進入するときの接線方向の速度が減少するので、吐出風量を充分に得られない。さらに、充分な吐出風量を得るために、ファンの容量を高めるか、ファンを一層迅速に駆動させる場合、費用及び騷音が一層増加するという問題点があった。
【００１３】
本発明は、上記の問題点を解決するためになされたもので、その目的は、流入口の構造的な制限を克服することで、サイクロンに流入する流体の吸入面積を広くしながら、圧力損失を減少させ、流体に加えられる遠心力を増加させる手段を備えたサイクロンと、このサイクロンを備えることで、空気浄化性能の向上及び騷音の減少などの効果を得られるサイクロン空気清浄機を提供することにある。
【課題を解決するための手段】
【００１４】
上記の目的を達成するための本発明に係るサイクロンは、流体が流入する円筒部と、該円筒部から延長形成されたガイド部と、前記円筒部の中心部に備わり、反転上昇する流体の流出を案内する流出管と、前記円筒部と前記流出管との間に旋回流路を形成する旋回誘導部材と、を含むことを特徴とする。
【００１５】
また、前記円筒部の上端部には、外部から流体を流入させるための開口部が形成されることを特徴とする。
【００１６】
また、前記旋回誘導部材は、少なくとも一つの螺旋状の案内羽根を含むことを特徴とする。
【００１７】
また、前記開口部には、前記案内羽根と前記流出管によって区画された少なくとも一つの流体の流入口が形成されることを特徴とする。
【００１８】
また、前記案内羽根の個数は、２個または４個であることを特徴とする。
【００１９】
また、前記複数個の案内羽根は、その開始点の高さと終点の高さがそれぞれ同一であることを特徴とする。
【００２０】
また、前記複数個の案内羽根は、前記開口部を２〜４等分した位置で同一方向に回転して形成されることを特徴とする。
【００２１】
また、前記案内羽根の回転角度は、９０゜以上であることを特徴とする。
【００２２】
また、前記旋回誘導部材は、前記流出管の外周面に形成され、前記円筒部の内部に着脱自在に設けられることを特徴とする。
【００２３】
また、前記旋回誘導部材は前記円筒部の内面に形成され、前記流出管の外周面には前記旋回誘導部材に対応する結合溝が形成されることで、前記流出管が前記円筒部の中心部に着脱自在に設けられることを特徴とする。
【００２４】
一方、本発明に係るサイクロン空気清浄機は、本体と、該本体の上側に設置されるファンと、前記本体内に設置されるサイクロンと、を含み、前記サイクロンは、上端に開口部が形成された円筒部と、該円筒部から延長形成されたガイド部と、前記円筒部の中心部に備わり、反転上昇する空気の流出を案内する流出管と、前記円筒部と流出管との間に旋回流路を形成する旋回誘導部材と、を含み、前記ファンによって流体が外部から前記開口部に吸入され、吸入された流体内の異質物が遠心分離されることを特徴とする。
【００２５】
また、前記旋回誘導部材は、少なくとも一つの螺旋状の案内羽根を含むことを特徴とする。
【００２６】
また、前記開口部には、前記案内羽根と前記流出管によって区画された少なくとも一つの流体の流入口が形成されることを特徴とする。
【００２７】
また、前記案内羽根の個数は、２個〜４個であることを特徴とする。
【００２８】
また、前記複数個の案内羽根は、開始点の高さと終点の高さがそれぞれ同一であることを特徴とする。
【００２９】
また、前記複数個の案内羽根は、前記開口部を２〜４等分した位置で同一方向に回転して形成されることを特徴とする。
【００３０】
また、前記案内羽根の回転角度は、９０゜以上であることを特徴とする。
【００３１】
また、前記流出管から空気を流出させるための流出口は、前記開口部より上部に配置されることを特徴とする。
【００３２】
また、前記開口部と連通される連通ホールを有し、前記円筒部の上端部に設置される第１区画板と、前記流出管と密着される密着ホールを有し、前記流出管の上端部に設置される第２区画板と、前記第１区画板と前記第２区画板との間に設置される吸入グリルと、前記第１区画板、前記第２区画板及び前記吸入グリルによって形成される吸入空間と、を含むことを特徴とする。
【発明の効果】
【００３３】
本発明に係るサイクロン及びサイクロン空気清浄機は、流体を吸入するときの圧力損失を減少し、流体の吸入面積を拡大するという効果がある。また、サイクロン内における流体の流動方向を一定に案内することで、遠心力を増加させる。その結果、前記サイクロン及びサイクロン空気清浄機の性能を向上できるとともに、ファンの騷音も減少できるという効果がある。
【発明を実施するための最良の形態】
【００３４】
以下、本発明の好適な実施の形態に対し、図面に基づいて説明する。
【００３５】
図３は、本発明に係るサイクロン空気清浄機を示す分解斜視図で、図４は、図３に示したサイクロン空気清浄機の主要部分を示す分解斜視図で、図５は、本発明に係るサイクロンの内部構造を示す図で、図６及び図７は、本発明に係るサイクロンの組立構造を示す図である。
【００３６】
一方、図８〜図１１は、本発明に係るサイクロンの第１〜第４実施形態を示す図で、図１２は、図８〜図１１に示したサイクロンの第１〜第４実施形態の実験結果を示すグラフである。
【００３７】
本発明に係るサイクロンは、図５に示すように、流体が外部から流入して旋回流を形成する円筒部２１０と、該円筒部２１０の下部に設けられ、旋回する流体に加えられる遠心力を一層増幅させるガイド部２２０と、サイクロンの中心部で上昇旋回する空気の流出を案内する流出管２３０と、を含んでいる。さらに、前記円筒部２１０の内面と前記流出管２３０の外周面との間には、円筒部２１０の内部に流入した流体が円筒部２１０内面の接線方向に所定角度だけ旋回するように流体の流動を案内し、流体に加えられる遠心力を増加させる一つ以上の旋回誘導部材として一つ以上の案内羽根２４０を含んでいる。
【００３８】
前記案内羽根２４０の他にも、案内パイプや案内リブなどが旋回誘導部材として用いられる。しかし、本実施形態では、流体の圧力損失の観点で、旋回誘導部材として案内羽根を採用することが最も好ましい。
【００３９】
一方、前記円筒部２１０の上端部には、外部から流体を流入させるための開口部２１１が形成される。前記案内羽根２４０は、前記開口部２１１に前記案内羽根２４０と同一個数の流体流入口２４１を形成しながら、螺旋方向に所定の角度を有して形成される。図５に示したサイクロンでは、案内羽根２４０の個数が２個であるが、その個数は変更可能である。図５に示した実線矢印及び点線矢印は、案内羽根２４０によって前記開口部２１１に形成された流入口２４１に、流体が進入する方向を示している。
【００４０】
また、サイクロンで遠心分離されて上昇する空気を流出させるための流出口２３１は、  流出管２３０が延長されることで、円筒部２１０の開口部２１１より所定高さだけ高い位置に形成される。このように構成することで、異質物を含む流体は、異質物から分離された空気と互いに混合されなくなる。前記ガイド部２２０の下端には、旋回する流体から分離された比較的比重の大きい粒子を排出させるための排出孔２２１が形成される。
【００４１】
一方、図５及び図６に示すように、案内羽根２４０は、流出管２３０の外周面に形成され、一つのユニットとして開口部２１１を通して円筒部２１０に着脱自在に備わる。このような案内羽根２４０の着脱構造によって、案内羽根２４０の個数及び進行長さに対する回転角度などが多様になるので、流体の流入角度や旋回角度などを任意に調節することができる。また、案内羽根２４０の着脱は、多様な方法で行われる。例えば、案内羽根２４０の端部と円筒部２１０内面との間の摩擦を用いて、案内羽根２４０を円筒部２１０に圧入することもでき、ガイド部２２０の上端部に案内羽根２４０の下端部を係止させることで、案内羽根２４０を円筒部２１０に結合することもでき、円筒部２１０の内面に前記案内羽根２４０の端部に対応する溝（図示せず）を形成することで、案内羽根２４０を前記溝にねじ結合することもできる。
【００４２】
図７には、案内羽根２４０を円筒部２１０の内面に形成し、その中心部に流出管２３０を挿入する方式で、案内羽根２４０が円筒部２１０に結合される場合を示している。このとき、摩擦力を用いて、流出管２３０を案内羽根２４０の内側端部に挿入することもでき、図７に示すように、案内羽根２４０の内側端部に対応する結合溝２３２を流出管２３０の外周面に形成し、結合溝２３２を案内羽根２４０の内側端部にねじ結合することもできる。
【００４３】
上記のようなサイクロンの具体的な作用は、図８〜図１１に基づいて説明する。流体は、流出管２３０及び案内羽根２４０によって円筒部２１０上端の開口部２１１に形成された各流入口２４１に実線矢印及び点線矢印方向に流入し、案内羽根２４０によって円筒部２１０内に形成された旋回流路２５０に沿って流動しながら自然に遠心力を有するようになる。旋回流路２５０に沿って流動する流体は、ガイド部２２０で一層速い速度の旋回流を形成する。
【００４４】
図８〜図１１に示すように、案内羽根２４０は、２〜４個に形成することが好ましい。すなわち、図８、図１０及び図１１には、２個の案内羽根及び流入口を有するサイクロンを例示し、図９には、４個の案内羽根及び流入口を有するサイクロンを例示した。前記複数の案内羽根２４０は、それぞれ開始点と終点の高さが同一になるように形成され、例えば、案内羽根２４０が２個である場合は、開口部２１１を２等分した位置で同一方向に回転して形成されることが好ましく、案内羽根２４０が３個または４個である場合は、それぞれ開口部２１１を３等分または４等分した位置でそれぞれ同一方向に回転して形成されることが好ましい。
【００４５】
本発明に係るサイクロンは、従来のサイクロンと異なって、流体が側面方向に流入せず、円筒部の上端部に形成された開口部を通して、圧力損失なしに直ちに流入するとともに、図８〜図１１に示すように、案内羽根２４０を２個または４個形成して２個または４個の流入口２４１を有するので、吸入面積の拡大効果を得られる。もちろん、案内羽根２４０を３個形成することもでき、その場合、３個の流入口が形成される。
一方、上記のようなサイクロンが採用されたサイクロン空気清浄機を、図３及び図４に基づいて説明する。
【００４６】
図３に示すように、本発明に係るサイクロン空気清浄機において、外観をなす本体１００には、少なくとも一つのサイクロン２００が設置され、前記本体１００の上端部、すなわち、サイクロン２００の円筒部２１０の上端部には、前記円筒部２１０の内部と連通される吸入空間３００が設けられる。
【００４７】
前記吸入空間３００は、図４に示すように、下部の第１区画板３１０と、上部の第２区画板４１０と、これら第１区画板３１０と第２区画板４１０との間に設置される吸入グリル３２０によって形成される。
【００４８】
前記第１区画板３１０には、前記サイクロン２００の円筒部２１０の上端に形成された開口部２１１とほぼ同一の直径を有する連通ホール３１１が形成される。そのため、吸入空間３００の流体は、前記連通ホール３１１を通して開口部２１１の流入口２４１に流入する。
【００４９】
前記第２区画板４１０は、前記第１区画板３１０の上側に支持部材３３０によって支持され、前記第１区画板３１０の上側から所定距離を維持する。図３に示すように、前記第２区画板４１０の下部に吸入空間３００が形成され、前記第２区画板４１０の上部に吐出空間４００が形成される。すなわち、前記第２区画板４１０の上部空間には、吐出案内容器１１０で覆われ、サイクロン２００から排出された空気を集めるための吐出空間４００が形成される。
【００５０】
前記第２区画板４１０には、密着ホール４１１が形成されるが、この密着ホール４１１は、流出管２３０の上端部と密着することで、前記吐出空間４００と前記吸入空間３００との連通を防止する役割をする。その結果、吸入空間３００の流体と吐出空間４００の空気との混合を防止できる。
【００５１】
一方、図３に示すように、本体１００の下部には、サイクロン２００から分離されて排出される異質物を集めるための集塵容器１２０が設けられ、前記吐出空間４００の上部には、吐出された空気をさらにフィルタリングするフィルタ５２０、ファン５００及びファンモータ５１０が備わる。前記サイクロン２００は、図５〜図７に基づいて説明したサイクロンと同一である。
【００５２】
以下、本発明に係るサイクロン空気清浄機の動作を、図３及び図４に基づいて説明する。
【００５３】
ファン５００がファンモータ５１０によって回転すると、下部側の空気を吸入して前記ファン５００の側面放射状に吐出する。その結果、外気と連結された吸入空間３００に低圧が形成されることで、吸入グリル３２０を通して外部から流体が吸入される。
【００５４】
上記のように吸入空間３００に吸入された流体は、第１区画板３１０に形成された連通ホール３１１を通して、各サイクロン２００の開口部２１１に形成された流入口２４１にそれぞれ流入し、流入した流体は、案内羽根２４０に沿って流動しながら遠心力を受けて旋回流を形成する。このとき、ガイド部２２０で下降旋回流の回転速度が増加しながら遠心力が増幅され、異質物は、ガイド部２２０下端の排出孔２２１を通して集塵容器１２０に集められる。そして、異質物の分離された空気は、サイクロン２００の中心部で上昇旋回流を形成して上昇し、流出管２３０に沿って流出口２３１から吐出されて吐出空間４００に集まり、吐出案内容器１１０に沿ってフィルタ５２０で再びフィルタリングされた後、ファン５００を通して外部に排出される。
【００５５】
一方、本発明に係るサイクロンまたはサイクロン空気清浄機の作用効果を説明する。
【００５６】
図１に示した従来のサイクロン空気清浄機の場合、流体の流入口が本体上部の一側面ののみに形成され、その入口が狭いので、流体の吸入過程で摩擦抵抗を多く受け、流体は、圧力損失によって充分な速度で流動できなかった。その結果、流体吸入において、非効率的な構造的な損失をもたらす。しかし、本発明に係るサイクロン空気清浄機の場合、本体の上部、円筒部の上端部に形成された空間の全体を吸入空間として活用できる。また、従来のサイクロン清浄機において、一方向のみに流体が流入することで生じる構造的な損失問題を解決するために、サイクロンの円筒部上端の開口部に複数個の流入口を形成するので、流体が一層効率的に吸入され、全体的な吸入面積が遥かに広くなる。さらに、流体が吸入空間からサイクロンの上端部を通して円筒部に直ちに流入するので、圧力損失を相当に減少できるという作用効果がある。
【００５７】
また、流体の流動方向を一定にしながら旋回流を遠心力によって自然に形成するために、案内羽根が旋回流路を形成するので、従来と同じ条件のファン駆動によって風量を一層多く得られるという作用効果がある。
【００５８】
上記のような本発明の効果に関し、図８〜図１１の実施形態と図１２の実験結果グラフを通して一層詳しく説明する。
【００５９】
図８〜図１１は、多様な案内羽根２４０が形成されたサイクロンを示したもので、それぞれサイクロンの上部及び正面から見た形状である。図８〜図１１に示した実線及び点線の矢印は、流体が流入口２４１を通して流入し、案内羽根２４０によって形成された旋回流路２５０に沿って流動する方向を示している。
【００６０】
図１２に示したグラフは、従来のサイクロン空気清浄機及び図８〜図１１に示した本発明に係るサイクロン空気清浄機における流体の圧力損失と風量との関係を同一条件で曲線で示したものである。すなわち、前記グラフの縦軸は、損失圧力をｍｍＡｑ（１気圧（ａｔｍ）≒１０３３２ｍｍＡｑ）単位で示したもので、横軸は、サイクロン空気清浄機の吐出風量をＣＭＭ（ｍ３／ｍｉｎ）単位で示したものである。
【００６１】
図１２に示したグラフにおいて、Ｐは、従来のサイクロン空気清浄機の実験結果を示すもので、Ａ、Ｂ、Ｃ及びＤは、図８〜図１１に示したサイクロンがそれぞれ適用されたサイクロン空気清浄機の実験結果を示したものである。
【００６２】
ここで、図８は、２個の案内羽根２４０を垂直方向に１００ｍｍ長さに対してそれぞれ３６０゜回転したサイクロン（図１２の実験結果Ａに適用されるサイクロン）を示し、図９は、４個の案内羽根２４０を垂直方向に２５ｍｍ長さに対してそれぞれ９０゜回転したサイクロン（図１２の実験結果Ｂに適用されるサイクロン）を示している。図１０は、２個の案内羽根２４０を垂直方向に５０ｍｍ長さに対してそれぞれ３６０゜回転したサイクロン（図１２の実験結果Ｃに適用されるサイクロン）を示し、図１１は、２個の案内羽根２４０を垂直方向に１００ｍｍ長さに対してそれぞれ２７０゜回転したサイクロン（図１２の実験結果Ｄに適用されるサイクロン）を示している。
【００６３】
図１２のグラフに示すように、実験結果Ａ〜Ｄに該当するサイクロン空気清浄機の損失圧力と風量との関係を示す曲線は、実験結果Ｐに該当するサイクロン空気清浄機の損失圧力と風量との関係を示す曲線に比べると、右側に傾いて、一層緩慢な勾配を有することが分かる。これは、従来のサイクロン空気清浄機の性能に比べて、本発明に係るサイクロン空気清浄機の性能が一層優秀であることを示す。
【００６４】
一方、実験結果Ａ〜Ｄに該当するサイクロン空気清浄機のうち、実験結果Ｄに該当するサイクロン空気清浄機の性能が最も優秀であり、実験結果Ｃに該当するサイクロン空気清浄機の性能が最も低いことが分かる。
【００６５】
案内羽根の個数、案内羽根が形成された長さ及び案内羽根の回転角度によって、サイクロン空気清浄機の性能に差が生じるが、案内羽根の個数は、２個〜４個程度であることが好ましい。その理由は、案内羽根の個数が１個であると、流体の旋回流路機能が低下し、案内羽根の個数が４個以上であると、圧力損失が増加するためである。
【００６６】
図１２に示した実験結果グラフから分かるように、本発明に係るサイクロンの案内羽根の回転角度を９０゜以上にすることで、本発明に係るサイクロン空気清浄機は、従来のサイクロンが装着されたサイクロン空気清浄機よりも優れた性能を発揮する。
【００６７】
さらに、前記案内羽根の回転角度は、１８０゜〜３６０゜であることが一層好ましい。その理由は、案内羽根の回転速度が３６０゜以上である場合、圧力損失が増加し、案内羽根の回転速度が１８０゜以下である場合、流体の旋回流路機能を適宜発揮できないためである。もちろん、グラフのＢに示すように、４個の案内羽根の回転角度が９０゜である場合も、ある程度の性能を発揮できるが、２個の案内羽根の回転角度が９０゜である場合、その性能がやや低下する。そのため、案内羽根を２個〜４個程度に形成する場合、その案内羽根の回転角度は、１８０゜〜３６０゜程度にすることが好ましい。
【図面の簡単な説明】
【００６８】
【図１】従来のサイクロン空気清浄機を示す図である。
【図２】従来のサイクロンを示す図である。
【図３】本発明に係るサイクロン空気清浄機を示す分解斜視図である。
【図４】図３に示したサイクロン空気清浄機の主要部分を示す分解斜視図である。
【図５】本発明に係るサイクロンの内部構造を示す図である。
【図６】本発明に係るサイクロンの組立構造を示す図である。
【図７】本発明に係るサイクロンの組立構造を示す図である。
【図８】本発明に係るサイクロンの第１実施形態を示す図である。
【図９】本発明に係るサイクロンの第２実施形態を示す図である。
【図１０】本発明に係るサイクロンの第３実施形態を示す図である。
【図１１】本発明に係るサイクロンの第４実施形態を示す図である。
【図１２】図８〜図１１に示したサイクロンの第１〜第４実施形態の実験結果を示すグラフである。
【符号の説明】
【００６９】
１００  本体
２００  サイクロン
２１０  円筒部
２１１  開口部
２２０  ガイド部
２２１  排出孔
２３０  流出管
２３１  流出口
２４０  案内羽根
２４１  流入口
２５０  旋回流路
３００  吸入空間
３１０  第１区画板
３１１  連通ホール
３２０  吸入グリル
４００  吐出空間
４１０  第２区画板
４１１  密着ホール
【図１】
2007275867.tif 000003
【図２】
2007275867.tif 000004
【図３】
2007275867.tif 000005
【図４】
2007275867.tif 000006
【図５】
2007275867.tif 000007
【図６】
2007275867.tif 000008
【図７】
2007275867.tif 000009
【図８】
2007275867.tif 000010
【図９】
2007275867.tif 000011
【図１０】
2007275867.tif 000012
【図１１】
2007275867.tif 000013
【図１２】
2007275867.tif 000014